(57)【特許請求の範囲】
【請求項１】
遊技盤に遊技球が通過可能な球受入口を有した受入口本体が設けられ、遊技球が通過したことを検出する第１検出センサが前記受入口本体に設けられた遊技機の検出センサ取付構造であって、
前記第１検出センサに挿着された第１ハーネス側コネクタを覆い内部が中空なケース部材が前記受入口本体に取り付けられ、
前記ケース部材は、その内部に第２検出センサを収容可能な後側本体部を有し、
前記後側本体部は、前記第２検出センサの収容時に、前記第２検出センサに挿着された第２ハーネス側コネクタを前記第１検出センサに挿着された前記第１ハーネス側コネクタに対して近接して対向配置し、
前記ケース部材は、前記第１ハーネス側コネクタ及び前記第２ハーネス側コネクタに接続された各ハーネスを前記ケース部材の内部から外側へ延出させる挿通孔と、前記後側本体部に前記第２検出センサが収容されていない時に、前記第１検出センサに接続された前記第１ハーネス側コネクタから延びて結束バンドが取り付けられたハーネスを通すが前記結束バンドを通さない孔部を有していることを特徴とする遊技機の検出センサ取付構造。
【発明の詳細な説明】
【技術分野】
【０００１】
本発明は、遊技機の検出センサ取付構造に関し、さらに詳細には、遊技球が通過可能な球受入口に遊技球が通過したことを検出する検出センサが設けられた遊技機の検出センサ取付構造に関する。
【背景技術】
【０００２】
従来より、パチンコ等の遊技機に設けられた入賞口には、入賞したパチンコ球を検出するための磁気センサが設けられている（特許文献１参照）。この磁気センサは、ハーネスを介して遊技制御基板に電気的に接続される。ハーネスの端部にはハーネス側コネクタが設けられ、磁気センサに設けられたセンサ側コネクタにハーネス側コネクタを接続して、ハーネスは磁気センサに電気的に接続される。
【先行技術文献】
【特許文献】
【０００３】
【特許文献１】特開２０００−２９６２１６号公報（図２、図３参照）
【発明の概要】
【発明が解決しようとする課題】
【０００４】
このように磁気センサに接続されたハーネスはコネクタを介して接続されているだけなので、磁気センサに対するハーネス側コネクタの挿抜操作は容易である。このため、従来の遊技機は、ハーネス側コネクタを磁気センサから抜脱して正規以外の部品（ぶら下がり部品等）が接続されたハーネスと交換される虞がある。このような不正なハーネスの交換が行われると、公正な遊技の提供ができなくなるという問題が発生する。
【０００５】
本発明は、ハーネスが検出センサから抜脱されて、正規以外の部品が接続されたハーネスが磁気センサに接続される不正交換を防止することができる検出センサ取付構造が求められており、このような要望に応える遊技機の検出センサ取付構造を提供することを目的とする。
【課題を解決するための手段】
【０００６】
このような課題を解決するため、本発明は、遊技盤に遊技球が通過可能な球受入口を有した受入口本体が設けられ、遊技球が通過したことを検出する第１検出センサが受入口本体に設けられた遊技機の検出センサ取付構造であって、第１検出センサに挿着された第１ハーネス側コネクタを覆い内部が中空なケース部材が受入口本体に取り付けられ、ケース部材は、その内部に第２検出センサを収容可能な後側本体部を有し、後側本体部は、第２検出センサの収容時に、第２検出センサに挿着された第２ハーネス側コネクタを第１検出センサに挿着された第１ハーネス側コネクタに対して近接して対向配置し、ケース部材は、第１ハーネス側コネクタ及び第２ハーネス側コネクタに接続された各ハーネスをケース部材の内部から外側へ延出させる挿通孔と、後側本体部に第２検出センサが収容されていない時に、検出センサに接続された第１ハーネス側コネクタから延びて結束バンドが取り付けられたハーネスを通すが結束バンドを通さない孔部を有していることを特徴とする。
【０００７】
球受入口は、遊技球の通過によって賞球を得ることが可能な入賞口であり、具体的には、始動入賞口、ゲート等である。第１検出センサは、遊技球が通過したことを検出可能なセンサであり、具体的には、磁気センサである。
【０００８】
第１ハーネス側コネクタは、第１検出センサに挿抜可能に取り付けられる。具体的には、第１検出センサ側に設けられた第１センサ側コネクタに挿抜可能に取り付けられる。第１ハーネス側コネクタは、第１検出センサの後側に挿着され、第１検出センサの後側の上面、下面、側面、背面のいずれでもよい。
【０００９】
ケース部材は、内部が中空であり、受入口本体にケース部材を取り付けると第１ハーネス側コネクタがケース部材によって覆われるように構成される。ケース部材の受入口本体への取り付けは、挿着は容易だが抜脱は容易ではない構造が好ましい。具体的には、ケース部材及び受入口本体の一方に係合凹部を設け、ケース部材及び受入口本体の他方に片持ち支持されて先端部に係合凹部に係止可能な係止突起を有した係止部材を設ける。
【００１０】
後側本体部は、第２検出センサの収容時において、第２検出センサに挿着された第２ハーネス側コネクタが第１検出センサに挿着された第１ハーネス側コネクタと近接して対向配置可能であればよく、第２検出センサを第１検出センサの真後ろに配置し、また第１検出センサの後側の上方、下方、側方のいずれの位置に配置してもよい。
【００１１】
第２検出センサは、遊技機に使用されるセンサであれば何でもよく、例えば磁石で遊技球を遊技盤の前側から受入口本体に案内する不正を検出するための磁気センサである。
【００１２】
第１ハーネス側コネクタに対して対向配置される第２ハーネス側コネクタは、その一部が第１ハーネス側コネクタに対して対向配置され、また第２ハーネス側コネクタの全部が第１ハーネス側コネクタに対して対向配置されてもよい。
【００１３】
挿通孔は、第１ハーネス側コネクタ及び第２ハーネス側コネクタに接続された各ハーネスをケース部材の内部から外側へ延出可能な形状を有するのみならず、第１ハーネス側コネクタ及び第２ハーネス側コネクタも通すことができるように形成されてもよい。
【００１４】
ハーネスに取り付けられる結束バンドは、具体的には、ベルト及びベルト端部に設けられた止め具を有してなる。止め具はベルトを固定できれば構造は問わない。具体的には、鋸歯式、ねじ止め式、押し込み式のいずれでもよい。
【００１５】
孔部は、ハーネスを通すが結束バンドを通さない形状であればよく、円形、矩形、三角形のいずれでもよい。
【発明の効果】
【００１６】
本発明によれば、第１検出センサに挿着された第１ハーネス側コネクタを覆い内部が中空なケース部材を受入口本体に取り付け、ケース部材は、その内部に第２検出センサを収容可能な後側本体部を有し、後側本体部は、第２検出センサの収容時に、第２検出センサに挿着された第２ハーネス側コネクタを第１検出センサに挿着された第１ハーネス側コネクタに対して近接して対向配置し、ケース部材は、第１ハーネス側コネクタ及び第２ハーネス側コネクタに接続された各ハーネスをケース部材外側へ延出させる挿通孔と、後側本体部に第２検出センサが収容されていない時に、検出センサに接続された第１ハーネス側コネクタから延びて結束バンドが取り付けられたハーネスを通すが結束バンドを通さない孔部を有することで、ハーネスが第１検出センサから抜脱されて、正規以外の部品が接続されたハーネスを第１検出センサに接続するハーネスの不正交換を防止可能であり、またケース部材内に第２検出センサを収容する場合や収容しない場合のいずれの場合にも使用できる使い勝手がよい遊技機の検出センサ取付構造を提供することができる。
【図面の簡単な説明】
【００１７】
【図１】本発明の一実施の形態に係わる遊技機の検出センサ取付構造の裏面図を示す。
【図２】本発明の一実施の形態に係わる検出センサ取付構造が設けられた遊技盤の正面図を示す。
【図３】本発明の一実施の形態に係わる検出センサ取付構造が設けられた遊技盤の正面図を示す。
【図４】本発明に係わる検出センサ取付構造の斜視図を示す。
【図５】検出センサ取付構造における受入口本体の背面図を示す。
【図６】本発明の一実施の形態に係わる他の検出センサ取付構造の裏面図を示す。
【図７】検出センサを示し、同図（ａ）は検出センサの部分断面側面図であり、同図（ｂ）は検出センサの裏面図であり、同図（ｃ）は検出センサの背面図である。
【図８】本発明に係わる検出センサ取付構造のケース部材の斜視図を示す。
【図９】ケース部材の側面図を示す。
【図１０】図１３のXIII−XIII矢視に相当する検出センサ取付構造の断面図を示す。
【図１１】検出センサ取付構造の背面図を示す。
【図１２】検出センサ取付構造の側面図を示す。
【図１３】本発明の他の実施形態に係わる検出センサ取付構造の平面図を示す。
【発明を実施するための形態】
【００１８】
以下、図面を用いて本発明を実施するための最良の形態を説明する。
【００１９】
図２（正面図）は遊技盤１０１の右側下部に配設された入賞ゲート１１２に設けられた検出センサの取付構造の構成例を示す。なお、遊技機１は、ぱちんこ機を例にして説明するが、遊技機はぱちんこ機に限るものではなく、アレンジボール遊技機、じゃん球遊技機等の弾球遊技機でもよい。
【００２０】
初めに遊技機全体の説明をする。図２に示すように、遊技機１の遊技盤１０１の下方位置には、発射部を備える図示しない操作ハンドルが配置され、発射部の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘１０４に加え、遊技球の落下方向を変化させる風車や入球口が配置されている。
【００２１】
遊技領域１０３の中央部分には例えば液晶表示器（ＬＣＤ）を用いた図柄表示部１０５が配置される。図柄表示部１０５の左右方向中央部の下方には遊技球を受入れ可能な第１始動口１０６が配置される。図柄表示部１０５の左側の下方には、遊技球が入球したときに所定数（例えば１０個）の賞球払い出しの権利を獲得する普通入賞口１０７が配置される。
【００２２】
図柄表示部１０５の右側の下方には、一対の可動片１１０ａを有する第２始動口１１０が配置される。第２始動口１１０は一対の可動片１１０ａが閉状態のときに遊技球の受入れを困難にし、開状態のときに遊技球の受入れを容易にする。第２始動口１１０の右側上方には、遊技球の通過を検出し、第２始動口１１０を一定時間だけ開放させる普通図柄の抽選を行うための入賞ゲート１１２が配置される。入賞ゲート１１２には、これに入る遊技球の通過を検出する検出センサ６０（図１参照）が設けられている。この検出センサ６０を入賞ゲート１１２に取り付ける検出センサ取付構造については後述する。
【００２３】
第２始動口１１０の下方には、大当たり遊技（長当たり遊技）が開始されると、開閉扉１２０ａが一定時間、開放する大入賞口開閉装置１２０が配置される。遊技領域１０３の最下部にはどの入球口にも入球しなかった遊技球を回収する回収口１２１が配置される。
【００２４】
図柄表示部１０５は第１始動口１０６、または第２始動口１１０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、大入賞口開閉装置１２０の開閉扉１２０ａが一定時間、開放する動作を所定回数（例えば１５回）繰り返し、入球した遊技球に対応する賞球が払い出される。
【００２５】
図柄表示部１０５の左右両側、上方、下方には、演出用可動部品１２５、１２５'、１２６、１２７（図３参照）が配置される。これらの可動部品は所定方向に移動可能に構成されている。
【００２６】
遊技盤１０１の外周部分には、遊技領域１０３の周囲を囲む形状で、遊技盤１０１から遊技者側に突出する形状の枠部材１３０が配置され、枠部材１３０の上側には複数のライトを備えた演出ライト１３１（ランプユニット）が設置される。枠部材１３０の下側には、図示しない貸し玉装置から貸し出される遊技球が供給される受け皿ユニットが設置される他、操作ハンドルが配置されている。操作ハンドルは遊技盤１０１から遊技者側へ突出し、上記発射部の駆動によって遊技球を発射させる際に遊技者によって操作される。
【００２７】
枠部材１３０の下側には、遊技者による操作を受け付ける図示しないチャンスボタンが配置される。チャンスボタンの操作は例えば遊技中における特定のリーチ演出に際し、チャンスボタンの操作を促すガイダンスが表示されている間有効となる。
【００２８】
このように構成された遊技機１の入賞ゲート１１２に取り付けられる検出センサの取付構造について説明する。入賞ゲート１１２は、図４（斜視図）に示すように、遊技球が通過可能な受入口本体１１３と、受入口本体１１３の後側の周縁部から外側へ張り出すフランジ部１１４を有してなる。
【００２９】
受入口本体１１３は直方体状に形成され、受入口本体１１３の中央部には上下方向に貫通して遊技球が通過可能な球受入口１１３ａが設けられている。この球受入口１１３ａは、平面視において矩形状に形成される。球受入口１１３ａの下方には球受入口１１３ａを通過した遊技球を左右方向一方側に案内するために湾曲状に形成された案内板１１３ｂが設けられている。
【００３０】
受入口本体１１３の背面側には、図４，図５（背面図）に示すように、検出センサ６０（図１参照）を挿入可能な矩形状の挿入口１１３ｃが開口している。挿入口１１３ｃの左右両側には、後方側へ張り出す左右一対の張出部１１３ｄ、１１３ｄ'が設けられている。
【００３１】
一方の張出部１１３ｄ'の下側部分１１３ｄ'ａは、図１（裏面図）、図１２（側面図）に示すように、一方の張出部１１３ｄ'の上側部分及び他方の張出部１１３ｄよりも後方側へ張り出している。この張出部１１３ｄ'の下側部分１１３ｄ'ａは、ケース部材１０を所定の向きで入賞ゲート１１２に取り付けるためのものであり、ケース部材１０に設けられた切り欠き部２３と係合する。ケース部材１０については後述する。
【００３２】
受入口本体１１３の内部には、図４，図５に示すように、球受入口１１３ａの左右両側に設けられて受入口本体１１３の前側端部から後方側へ延びてフランジ部１１４を超え、張出部１１３ｄ、１１３ｄ'の内側に沿って延びる左右一対の案内溝１１３ｅが設けられている。この案内溝１１３ｅに検出センサ６０（図１参照）が入賞ゲート１１２の背面側から挿入される。検出センサ６０は、検出センサ６０の前側端部が受入口本体１１３の前側端部に設けられた前板１１３ｆ（図１０参照）の内面に接触した状態で球受入口１１３ａ内に設置される（図１参照）。検出センサ６０については後述する。
【００３３】
張出部１１３ｄ、１１３ｄ'のフランジ部側には、ケース部材１０に設けられた係止突起３９ａを係止させるための係合孔部１１３ｇが設けられている。
【００３４】
このように構成された入賞ゲート１１２に挿入される検出センサ６０は、図７（ａ）、図７（ｂ）、図７（ｃ）に示すように、遊技球を磁気的に検出可能な磁気センサである。検出センサ６０は板状に形成され、先端側には遊技球が通過可能な円形状の検出孔６１が設けられている。検出センサ６０の後側の幅方向中央部には、端面が検出センサ６０の後端面と略同一平面上に配置されたセンサ側コネクタ６２が設けられている。
【００３５】
センサ側コネクタ６２内には複数の端子６３が配設され、遊技球が検出孔６１を通過する時に、端子６３から検出信号が出力されるようになっている。
【００３６】
このように構成された検出センサ６０は、図１に示すように、検出孔６１側を前方に向けた状態で入賞ゲート１１２に挿入される。入賞ゲート１１２に挿入された検出センサ６０は、ケース部材１０によって入賞ゲート１１２に固定されるとともに、検出センサ６０の後側が覆われる。
【００３７】
ケース部材１０は、合成樹脂材料で一体的に形成され、図１及び図８に示すように、前端側が開口して内部が中空なケース本体１３を有する。ケース本体１３は、検出センサ６０の後側を収容する前側本体部２０と、前側本体部２０の後端部の左右方向一方側から後方側へ延びて検出センサ６０よりも小型の後述する不正検出センサ７０を収容可能な後側本体部３０とを有してなる。
【００３８】
後側本体部３０の上側の内面には前後方向に延びる段部３１が後側本体部３０の幅方向に２段設けられている。段部３１の前側端部は、検出センサ６０が入賞ゲート１１２に挿入されてその前端部が入賞ゲート１１２の前板１１３ｆ（図１０参照）の内面に接触した状態で、ケース部材１０が入賞ゲート１１２に取り付けられると、検出センサ６０の後側端面に近接する位置に設けられている。このため、段部３１によって、入賞ゲート１１２に対する検出センサ６０の前後方向の位置決めをすることができる。
【００３９】
また段部３１の上下方向の高さは、後側本体部３０内に不正検出センサ７０が挿入された状態で、この不正検出センサ７０の後側本体部３０に対する上下方向の位置決めが可能な高さを有している。
【００４０】
前側本体部２０の左右両側には前方側へ張り出す一対の係止部材２１が設けられている。係止部材２１は、前方側へ張り出す腕部２１ａと、腕部２１ａの先端部に設けられ内側へ突出して入賞ゲート１１２の張出部１１３ｄ、１１３ｄ'に設けられた係合孔部１１３ｇに係止される係止突起２１ｂとを有してなる。腕部２１ａは弾性変形可能であり、その基端側を支点として前側本体部２０の幅方向に撓み変形可能である。
【００４１】
前側本体部２０の左右方向一方側端部の下部には、後方へ突出する張出部１１３ｄ'の下側部分１１３ｄ'ａと係合可能な前述した切り欠き部２３が設けられている。
【００４２】
このように構成されたケース部材１０を入賞ゲート１１２に取り付けるには、切り欠き部２３が張出部１１３ｄ'の下側部分１１３ｄ'ａと対向するように、入賞ゲート１１２に対してケース部材１０を配置する。入賞ゲート１１２及びケース部材１０が互いに接近するように移動させると、係止部材２１の係止突起２１ｂが張出部１１３ｄ、１１３ｄ'に接触し、腕部２１ａが外側に撓んで係止突起２１ｂが張出部１１３ｄ、１１３ｄ'に接触しながらフランジ部１１４側に移動する。係止突起２１ｂが係合孔部１１３ｇに到達すると、腕部２１ａが元に戻り係止突起２１ｂが係合孔部１１３ｇに係止される。
【００４３】
これと同時に、張出部１１３ｄ'の下側部分１１３ｄ'ａが切り欠き部２３に係合し、前側本体部２０の前側端面が張出部１１３ｄ、１１３ｄ'の端面と接触した状態となって、ケース部材１０が入賞ゲート１１２に取り付けられる。
【００４４】
ケース部材１０の後側本体部３０の後板３３には、図１１に示すように、検出センサ６０（図１３参照）に接続されたハーネス５０を通すが、ハーネス５０に取り付けられた結束バンド５１を通さない大きさの孔部３４が設けられている。この孔部３４は、後板３３の左右方向一方側に開口して他方側へ延びる矩形状に形成されている。なお、図１１は、ケース部材１０内に不正検出センサ７０を収容しない場合の検出センサ取付構造を示している。ケース部材１０内に不正検出センサ７０を収容しない場合の検出センサ取付構造については後述する。
【００４５】
ケース部材１０の左右方向一方側の側面には、図６，図９，図１１に示すように、ハーネス５０、７１、結束バンド５１（図１３参照）、ハーネス５０、７１の端部に取り付けられたハーネス側コネクタ５２、７２を通す大きさの挿通孔３５が設けられている。
【００４６】
挿通孔３５は、ケース部材１０の後側本体部３０の一方側の側板３６と前側本体部２０の後板２４に渡って開口する。挿通孔３５は、側面視及び背面視において矩形状に形成される。後側本体部３０に形成された挿通孔３５の後側は、ハーネス５０のみを通す幅の狭い長孔３５ａとして形成されている（図９参照）。この長孔３５ａは、後側本体部３０の両側から対向するように張り出す一対の板部材３７の先端部間に形成され、後側本体部３０の背面側に形成された孔部３４に連通している。長孔３５ａは、後側本体部３０の背面側に設けられた孔部３４に通されたハーネス５０がケース部材１０の側面側の挿通孔３５から容易に抜脱されるのを防止する機能を有する。
【００４７】
ケース部材１０の後側本体部３０には、図１に示すように、検出センサ６０とは別に、遊技盤１０１の前方側から磁石によって遊技球を入賞ゲート１１２に案内する不正行為を検出するための前述した不正検出センサ７０が収容されている。後側本体部３０の下側の側面には、後端部が後側本体部３０に繋がって前側に延びる片持ち支持された係止部材３９が設けられている。係止部材３９の先端部には、図９を更に追加して説明すると、ケース部材１０の内側へ突出する係止突起３９ａが設けられ、係止突起３９ａの前側には、後側に進むに従ってケース部材１０内側へ傾く傾斜面３９ｂが形成され、係止突起３９ａの後側には、ケース部材１０の厚さ方向に延びる係止面３９ｃが形成されている。この係止面３９ｃが不正検出センサ７０の前端部に係合して、後側本体部３０内に収容された不正検出センサ７０の前側への移動を規制する。
【００４８】
不正検出センサ７０は、後側本体部３０内に収容された状態で、不正検出センサ７０の前側端部に挿着されたハーネス側コネクタ７２と検出センサ６０に挿着されたハーネス側コネクタ５２とが対向する位置に配置されている。実施例では、両コネクタの端部同士が対向するように配置されている。なお、不正検出センサ７０は、これに挿着されたハーネス側コネクタ７２の一部が検出センサ５０に挿着されたハーネス側コネクタ５２と対向する場合に限るものではなく、ハーネス側コネクタ７２の全部がハーネス側コネクタ５２と対向するように配置されてもよい。
【００４９】
ハーネス側コネクタ５２を接続したハーネス５０及びハーネス側コネクタ７２を接続したハーネス７１は、ケース部材１０の挿通孔３５を通ってケース部材１０の外側に延出される。
【００５０】
このようにケース部材１０内に不正検出センサ７０を収容する場合、ケース部材１０から延出するハーネス５０が引っ張られると、引っ張られたハーネス５０に接続されたハーネス側コネクタ５２がハーネス７１やハーネス側コネクタ７２と接触して、ハーネス５０が検出センサ６０から抜脱されるのを防止することができる。このため、ハーネス５０が検出センサ６０から抜脱されて、検出センサ６０に正規以外の部品が接続されたハーネスを接続するハーネスの不正交換を防止することができる。
【００５１】
なお、係止部材３９は、図６（裏面図）に示すように、その先端部がケース部材１０内に挿入された検出センサ６０に接続されたハーネス側コネクタ５２と対向する位置に設けられてもよい。このようにすると、ハーネス側コネクタ５２が接続されたハーネス５０が引っ張られたときに、ハーネス側コネクタ５２が係止部材３９の先端部に当接して、ハーネス５０が検出センサ６０から抜脱されるのを規制することができる。このため、検出センサ６０及び不正検出センサ７０に挿着されたハーネス側コネクタ５２，７２同士の対向配置と相まって、検出センサ６０に接続されたハーネス５２の抜脱規制をより確実にすることができる。
【００５２】
ケース部材１０内に不正検出センサ７０を収容しない場合、ケース部材１０を入賞ゲート１１２に接続するには、図１３を参照しながら説明すると、先ず、ハーネス側コネクタ５２、これを接続したハーネス５０及び結束バンド５１を、挿通孔３５を介してケース部材１０内に挿入する。そして、ハーネス側コネクタ５２をケース部材１０の先端側の開口から引き出し、結束バンド５１よりもハーネス側コネクタ５２と反対側のハーネス５０を、長孔３５ａを介してケース部材１０内に挿入し、後側本体部３０の背面側に設けられた孔部３４に通す。
【００５３】
そして、ケース部材１０内から延出するハーネス５０のハーネス側コネクタ５２を、入賞ゲート１１２に挿入された検出センサ６０のセンサ側コネクタ６２（図７（ｂ）参照）に挿着する。そして、ケース部材１０の先端側を入賞ゲート１１２の背面に対向させ、ケース部材１０及び入賞ゲート１１２を互いに接近する方向に移動させて、左右一対の張出部１１３ｄ、１１３ｄ'に設けられた係合孔部１１３ｇにケース部材１０に設けられた係止突起２１ｂを係止させる。なお、係止部材２１は、腕部２１ａを強制的にケース部材１０の外側に撓ませなければ、入賞ゲート１１２に対する係止部材２１の係止状態を解除することができない。このため、ケース部材１０を入賞ゲート１１２から取り外そうとする不正意欲を抑えることができる。
【００５４】
このようにケース部材１０が入賞ゲート１１２に装着されると、図６に示すように、結束バンド５１が取り付けられたハーネス５０及びハーネス側コネクタ５２がケース部材１０で覆われ、結束バンド５１が取り付けられたハーネス５０はケース部材１０内で前側から後側に延びてケース部材１０の背面側に設けられる孔部３４（図１１参照）から延出した状態になる。
【００５５】
このような状態でケース部材１０から延出するハーネス５０が引っ張られると、結束バンド５１が孔部３４に引っ掛かり、ハーネス５０が検出センサ６０から抜脱されるのを防止することができる。このため、ハーネス５０が検出センサ６０から抜脱されて、検出センサ６０に正規以外の部品が接続されたハーネスを接続するハーネスの不正交換を防止することができる。
【００５６】
このように、ケース部材１０は、不正検出センサ７０を収容する場合や収容しない場合のいずれの場合にも使用することができ、使い勝手のよい検出センサ取付構造を提供することができる。
【符号の説明】
【００５７】
１  遊技機
１０  ケース部材
３０  後側本体部
３４  孔部
３５  挿通孔
５０、７１  ハーネス
５１  結束バンド
５２  ハーネス側コネクタ（第１ハーネス側コネクタ）
６０  検出センサ（第１検出センサ）
７０  不正検出センサ（第２検出センサ）
７２  ハーネス側コネクタ（第２ハーネス側コネクタ）
１０１  遊技盤
１１３  受入口本体
１１３ａ  球受入口
【図１】
0005380271.tif 000002
【図２】
0005380271.tif 000003
【図３】
0005380271.tif 000004
【図４】
0005380271.tif 000005
【図５】
0005380271.tif 000006
【図６】
0005380271.tif 000007
【図７】
0005380271.tif 000008
【図８】
0005380271.tif 000009
【図９】
0005380271.tif 000010
【図１０】
0005380271.tif 000011
【図１１】
0005380271.tif 000012
【図１２】
0005380271.tif 000013
【図１３】
0005380271.tif 000014